(57)【要約】      （修正有）【課題】駆動部材に連動させて、発光ユニットを使用状態と収納状態との間で移動させる状態と、駆動部材に連動することなく、手動操作によって発光ユニットを使用状態と収納状態との間で移動させる状態とを切り換える。【解決手段】駆動環に連動して移動するスライダに対し、係合状態と係合解除状態とを切換えできる発光ユニット連動切換レバーを備える。発光ユニット連動切換レバーには使用者が操作可能な操作部３ｄが形成され、カバー部材１００１には発光ユニット１が使用状態となるときには操作部３ｄを覆い、発光ユニット１が収納状態となるときには操作部３ｄを露出させる突起１００１ａが形成される。【選択図】図１０
2013015668.tif 000002
【特許請求の範囲】
【請求項１】
使用状態と収納状態との間で移動可能な発光ユニットと、
駆動源によって駆動される駆動部材と、
前記駆動部材に連動して移動することで前記発光ユニットと係合して、前記発光ユニットを前記収納状態から前記使用状態に移動させる移動部材と、
前記移動部材と前記発光ユニットとが係合する係合状態と、前記移動部材と前記発光ユニットとの係合が解除される係合解除状態とを切り換える切換部材とを有し、
前記切換部材には、使用者によって操作可能な操作部が形成され、前記操作部は前記発光ユニットが前記収納状態となるときに、前記使用者が操作可能な状態となることを特徴とする撮像装置。
【請求項２】
前記操作部は前記発光ユニットが前記使用状態となるときに、前記使用者が操作不能な状態となることを特徴とする請求項１に記載の撮像装置。
【請求項３】
前記発光ユニットは軸を中心として回動することで、使用状態と収納状態との間で移動可能であるものであって、
前記切換部材は前記軸に沿って移動することで、前記係合状態と前記係合解除状態とを切り換えることを特徴とする請求項１または２に記載の撮像装置。
【請求項４】
前記駆動部材は、駆動源によって繰り出し状態と沈胴状態との間で駆動されるレンズ鏡筒に連動して駆動されるものであって、
前記駆動部材には、前記レンズ鏡筒が前記繰り出し状態となるとき、前記切換部材による前記移動部材と前記発光ユニットとが前記係合解除状態から前記係合状態への切り換えを実行できないようにする壁部が形成されることを請求項１ないし３のいずれか１項に記載の撮像装置。
【発明の詳細な説明】
【技術分野】
【０００１】
本発明は、使用状態と収納状態との間で移動する発光ユニットを有する撮像装置に関するものである。
【背景技術】
【０００２】
従来、この種の撮像装置において、発光ユニットは電源オフ時などの撮像不能状態では収納状態となり、電源オン時などの撮像可能状態では、撮像装置本体から突出した使用状態となる。
【０００３】
特許文献１には、レンズ鏡筒の沈胴位置からの繰り出し動作、および沈胴位置への繰り込み動作に連動し、発光ユニットを使用状態と収納状態との間で移動させる撮像装置が開示されている。
【先行技術文献】
【特許文献】
【０００４】
【特許文献１】特開平０７−１９９２９５号公報
【発明の概要】
【発明が解決しようとする課題】
【０００５】
従来の撮像装置では、撮像可能状態となるレンズ鏡筒が繰り出した状態では発光ユニットは常に突出した使用状態となり、撮像不能状態となるレンズ鏡筒が沈胴状態では常に収納状態となる。
【０００６】
これは、電源オンと同時に発光ユニットが突出した使用状態とすることで、撮影の機会を逃さないという利点はある。しかし、電源オンと同時に発光ユニットを突出させてしまうため、被写体にストロボの発光を予期させてしまう。
【０００７】
また、発光ユニットの使用状態と収納状態との間の移動を、レンズ鏡筒の沈胴位置と繰り出し位置との移動に連動させると、撮像可能状態では発光ユニットが常に突出してしまい、撮像装置のホールディングを妨げてしまうという課題があった。
【０００８】
本発明の目的は、レンズ鏡筒に連動させて、発光ユニットを使用状態と収納状態との間で移動させる状態と、レンズ鏡筒に連動することなく、手動操作によって発光ユニットを使用状態と収納状態との間で移動させる状態とを切り換えることができる。
【課題を解決するための手段】
【０００９】
上記目的を達成するために本発明は、使用状態と収納状態との間で移動可能な発光ユニットと、駆動源によって駆動される駆動部材と、前記駆動部材に連動して移動することで前記発光ユニットと係合して、前記発光ユニットを前記収納状態から前記使用状態に移動させる移動部材と、前記移動部材と前記発光ユニットとが係合する係合状態と、前記移動部材と前記発光ユニットとの係合が解除される係合解除状態とを切り換える切換部材とを有し、前記切換部材には、使用者によって操作可能な操作部が形成され、前記操作部は前記発光ユニットが前記収納状態となるときに、前記使用者が操作可能な状態となることを特徴とする。
【発明の効果】
【００１０】
本発明によれば、駆動部材に連動させて、発光ユニットを使用状態と収納状態との間で移動させる状態と、駆動部材に連動することなく、手動操作によって発光ユニットを使用状態と収納状態との間で移動させる状態とを切り換えることができる。
【図面の簡単な説明】
【００１１】
【図１】本発明の実施例であるデジタルカメラの外観斜視図である。
【図２】レンズ鏡筒ユニットＬの分解斜視図である。
【図３】レンズ鏡筒ユニットＬを説明する図である。
【図４】発光ユニット１の分解斜視図である。
【図５】発光ユニット１を説明する図である。
【図６】発光ユニット１が使用状態と収納状態との間で移動する動作を説明する図である。
【図７】駆動環３０に形成される３つのカム形状を説明する図である。
【図８】発光ユニット１の動作を説明する図である。
【図９】発光ユニット１が手動操作される際の動作を説明する図である。
【図１０】デジタルカメラの背面斜図である。
【発明を実施するための形態】
【００１２】
以下、本発明の実施例について、図１〜図１０を参照しながら詳細に説明する。
【００１３】
図１は本発明を実施した撮像装置としてのデジタルカメラを説明するものであって、本実施例のデジタルカメラの６つの状態を説明する図である。本実施例のデジタルカメラは、図１に示すように、電源ボタン４および発光ユニット連動切換レバー３を備えている。
【００１４】
電源ボタン４は、デジタルカメラを撮像不能状態から撮像可能状態に切り換えるとともに、デジタルカメラを撮像可能状態から撮像不能状態に切り換える。
【００１５】
デジタルカメラが撮像不能状態から撮像可能状態に切り換えると、レンズ鏡筒ユニットＬが沈胴状態から繰り出し状態に移動する。デジタルカメラが撮像可能状態から撮像不能状態に切り換えると、レンズ鏡筒ユニットＬが繰り出し状態から沈胴状態に移動する。
【００１６】
発光ユニット連動切換レバー３は、レンズ鏡筒ユニットＬの動作に連動して発光ユニット１のアップダウン動作を行うかどうかを切り換える。
【００１７】
発光ユニット連動切換レバー３が連動オンに切り換えられるときには、レンズ鏡筒ユニットＬが沈胴状態から繰り出し状態に移動する動作に連動して、発光ユニット１は収納状態から使用状態に移動する。そして、レンズ鏡筒ユニットＬが繰り出し状態から沈胴状態に移動する動作に連動して、発光ユニット１は使用状態から収納状態に移動する。
【００１８】
発光ユニット連動切換レバー３が連動オフに切り換えられるときには、発光ユニット１はレンズ鏡筒ユニットＬの動作に連動に連動しない。すなわち、発光ユニット１が収納状態であれば、レンズ鏡筒ユニットＬが沈胴状態から繰り出し状態に移動しても、繰り出し状態から沈胴状態に移動しても、発光ユニット１は収納状態のままとなる。同様に、発光ユニット１が使用状態であれば、レンズ鏡筒ユニットＬが沈胴状態から繰り出し状態に移動しても、繰り出し状態から沈胴状態に移動しても、発光ユニット１は使用状態のままとなる。
【００１９】
発光ユニット連動切換レバー３を連動オンに切り換えたときの動作を図１（ａ）〜（ｄ）を用いて説明する。
【００２０】
発光ユニット連動切換レバー３を図１（ａ）の矢印Ｇ方向に移動することで、発光ユニット連動切換レバー３は連動オンに切り換えられる。一方、発光ユニット連動切換レバー３を図１（ｅ）の矢印Ｈ方向に移動することで、発光ユニット連動切換レバー３は連動オフに切り換えられる。
【００２１】
図１（ａ）は、撮像不能状態の一例である電源オフ状態または休止状態を示している。この状態ではレンズ鏡筒ユニットＬは沈胴状態となり、発光ユニット１は収納状態となる。
【００２２】
図１（ｂ）は、撮像可能状態の一例であり、電源ボタン４を操作することで、図１（ａ）に示す状態から電源オンにした状態を示している。電源ボタン４が操作されることで、デジタルカメラが撮像不能状態から撮像可能状態に切り換えられ、レンズ鏡筒ユニットＬが沈胴状態から繰り出し状態に移動する。発光ユニット連動切換レバー３は連動オンとなっているので、レンズ鏡筒ユニットＬが沈胴状態から繰り出し状態に移動する動作に連動して、発光ユニット１は収納状態から使用状態に移動する。したがって、この状態ではレンズ鏡筒ユニットＬは繰り出し状態となり、発光ユニット１は使用状態となる。
【００２３】
図１（ｃ）は、図１（ｂ）に示す状態から、発光ユニット１を手動操作によって使用状態から収納状態に移動させた状態を示している。この状態ではレンズ鏡筒ユニットＬは繰り出し状態となり、発光ユニット１は収納状態となる。図１（ｄ）は、図１（ａ）に示す状態から、発光ユニット１を手動操作によって収納状態から使用状態に移動させた状態を示している。この状態ではレンズ鏡筒ユニットＬは沈胴状態となり、発光ユニット１は使用状態となる。
【００２４】
図１（ｃ）および（ｄ）に示すように、発光ユニット連動切換レバー３が連動オンに切り換えられていても、レンズ鏡筒ユニットＬの状態にかかわらず、発光ユニット１を手動操作によって使用状態と収納状態との間で移動することができる。
【００２５】
本実施例のデジタルカメラは図１（ｂ）の状態から手動操作によって、図１（ｃ）の状態とすることができる。図１（ｃ）の状態で電源をオフしたときに、発光ユニット１は収納状態のまま、図１（ａ）の状態となる。本実施例のデジタルカメラは図１（ａ）の状態から手動操作により図１（ｄ）の状態にすることができる。
【００２６】
発光ユニット連動切換レバー３を連動オフに切り換えたときの動作を図１（ｅ）および（ｆ）を用いて説明する。
【００２７】
図１（ｅ）は、図１（ａ）に示す状態から、発光ユニット連動切換レバー３を図１（ｅ）の矢印Ｈ方向に移動することで、発光ユニット連動切換レバー３は連動オフに切り換えられる。図１（ｅ）に図示する状態ではレンズ鏡筒ユニットＬは沈胴状態となり、発光ユニット１は収納状態となる。図１（ｆ）は、電源ボタン４を操作することで、図１（ｅ）に示す状態から電源オンにした状態を示している。電源ボタン４が操作されることで、デジタルカメラが撮像不能状態から撮像可能状態に切り換えられ、レンズ鏡筒ユニットＬが沈胴状態から繰り出し状態に移動する。発光ユニット連動切換レバー３は連動オフとなっているので、レンズ鏡筒ユニットＬが沈胴状態から繰り出し状態に移動しても、発光ユニット１は収納状態のままとなる。
【００２８】
本実施例のデジタルカメラは、発光ユニット連動切換レバー３が連動オフに切り換えられていても、レンズ鏡筒ユニットＬの状態にかかわらず、発光ユニット１を手動操作によって使用状態と収納状態との間で移動することができる。すなわち、図１（ｅ）および（ｆ）に図示する状態でも、発光ユニット１を手動操作によって使用状態と収納状態との間で移動することができる。
【００２９】
本実施例のデジタルカメラは、発光ユニット連動切換レバー３が連動オン・連動オフのどちらに切り換えられていても、手動操作によって発光ユニット１を使用状態と収納状態との間で移動することができる。
【００３０】
図２はデジタルカメラのレンズ鏡筒ユニットＬの分解斜視図である。
【００３１】
レンズ鏡筒ユニットＬは、１群レンズ、２群レンズおよび不図示の３群レンズから構成される。１群レンズは１群レンズホルダ１０に保持され、２群レンズは２群レンズホルダ１１に保持される。直進案内板１２には、１群レンズホルダ１０を光軸方向へ移動可能に支持する１群案内棒１３が形成されている。１群案内棒１３は、１群レンズホルダ１０の内面に形成された光軸方向へ延びる不図示の溝に係合している。同様に、直進案内板１２には、２群レンズホルダ１１を光軸方向へ移動可能に支持する２群案内棒１５が一体的に形成されている。２群案内棒１５は２群レンズホルダ１１の外周部に設けられた２群直進穴１４に係合し、２群レンズホルダ１１を光軸方向へ移動可能に支持する。
【００３２】
したがって、直進案内板１２に形成される１群案内棒１３および２群案内棒１５によって、１群レンズホルダ１０および２群レンズホルダ１１は光軸方向へ移動を案内される。また、直進案内板１２のフランジ部の外縁部には複数の突起１６が形成されている。突起１６が固定カム環１７の内面に設けられた光軸方向へ伸びる複数の溝１８にそれぞれ係合することにより、直進案内板１２は光軸方向へ移動可能に支持される。
【００３３】
移動カム環１９の外周面には、外周面を３等分するようにカムフォロワー２０が形成される。カムフォロワー２０は固定カム環１７の内面に形成された同形状の３本のカム２１にそれぞれカム係合する。これによって、移動カム環１９の回転に伴いカムフォロワー２０はカム２１をトレースし、移動カム環１９は回転しながら光軸方向に移動する。
【００３４】
さらに、移動カム環１９の内周面後端部に設けられた係合溝２２に、直進案内板１２のフック２３が係合することによって、直進案内板１２は移動カム環１９に対して回転可能に係合する。これにより、移動カム環１９の光軸方向への移動にともない、直進案内板１２もともに光軸方向へ移動する。
【００３５】
１群レンズホルダ１０の外周面部には、外周面を３等分するように１群カムフォロワー２４が形成される。１群カムフォロワー２４は移動カム環１９の内周面に設けられた同形状の３本の１群カム２５にそれぞれカム係合する。これによって、移動カム環１９の回転に伴って１群カムフォロワー２４は１群カム２５をトレースする。また、１群レンズホルダ１０は光軸方向へ移動するよう案内されているので、１群レンズホルダ１０は移動カム環１９の回転に伴って１群カム２５の光軸方向への変位量に合わせて移動する。
【００３６】
２群レンズホルダ１１の外周面部には、外周面を３等分するように２群カムフォロワー２６が形成される。２群カムフォロワー２６は、移動カム環１９の内周面に設けられた同形状の３本の２群カム２７にそれぞれカム係合する。これによって、移動カム環１９の回転に伴って２群カムフォロワー２６は２群カム２７をトレースする。また、２群レンズホルダ１１は光軸方向へ移動するよう案内されているので、２群レンズホルダ１１は移動カム環１９の回転に伴って２群カム２７の光軸方向への変位量に合わせて移動する。
【００３７】
移動カム環１９の外周面には、外周面を３等分するように駆動ピン２８が形成される。駆動ピン２８は固定カム環１７の内周面から外周面に貫通するカム穴２９を貫通して固定カム環１７の外周面から突出する。カム２１とカム穴２９は同形状であり、移動カム環１９の固定カム環１７に対する回転繰り出し移動に対して、駆動ピン２８はカム穴２９をトレースしてカム環１７から突出した状態を維持する。
【００３８】
駆動部材としての駆動環３０は固定カム環１７の外周面に嵌合して回転自在に支持される。駆動環３０の内周面には、光軸方向へ伸びる溝３１が３等分にするように配置され、溝３１に駆動ピン２８がそれぞれ係合する。これにより、駆動環３０の回転が溝３１と駆動ピン２８を介して移動カム環１９へと伝達される。
【００３９】
このように、１群レンズホルダ１０、２群レンズホルダ１１、直進案内板１２、固定カム環１７、移動カム環１９および駆動環３０は一体となり、それぞれが連携して動作する。そしてこの一体となった部品は鏡筒ベース３２へと組み込まれる。さらに、撮像素子を保持する撮像素子ホルダ３３が鏡筒ベース３２とともに固定カム環１７のフランジ部分を挟み込むように固定される。
【００４０】
レンズ鏡筒ユニットＬの駆動源４４は電力を動力へと変換する電磁モーターである。駆動源４４の動力はギア列４５を介して駆動環３０の外周面に形成された駆動環ギア４６へと伝達される。これにより、駆動源４４への通電によって駆動環３０を回転させることができる。
【００４１】
鏡筒ベース３２は駆動源４４およびギア列４５を保持するとともに、移動部材としてのスライダ３７を光軸方向に移動可能に保持する。スライダ３７は鏡筒ベース３２に保持されたスライダシャフト３８に案内されることで、鏡筒ベース３２上において、光軸方向へ移動可能となっている。スライダ３７には、スライダ３７の内部に進退可能なフォロワーとしてのストロボフォロワー３９が形成され、ストロボフォロワー３９は圧縮ばね４０によってスライダ３７から突出する方向に付勢されている。
【００４２】
駆動環３０の外周面には、ストロボフォロワー３９と係合可能な第１のストロボカム３０ａ、第２のストロボカム３０ｂおよび第３のストロボカム３０ｃが形成されている。ストロボフォロワー３９が第１のストロボカム３０ａと係合する場合には、駆動環３０が回転することによって、スライダ３７は鏡筒ベース３２上で光軸方向に移動する。
【００４３】
図３は、レンズ鏡筒ユニットＬを説明する図である。図３（ａ）はレンズ鏡筒ユニットＬの外観斜視図である。図３（ａ）の状態ではレンズ鏡筒ユニットＬは沈胴状態となっている。図３（ｂ）は図３（ａ）の状態におけるレンズ鏡筒ユニットＬの外観正面図である。図３（ｃ）はレンズ鏡筒ユニットＬの図３（ｂ）におけるＡ−Ａ断面図である。
【００４４】
図３（ａ）に示すように、スライダ３７にはＵ字部３７ａが形成され、発光ユニット連動切換レバー３が連動オンに切り換えられているときに、後述する発光ユニット連動切換レバー３に形成される突起３ｃを挟み込む。図３（ｃ）に示すように、スライダ３７には、スライダ３７をスライダシャフト３８に支持した状態で、駆動環３０の外周面に対して略垂直となる穴部が形成され、この穴部にストロボフォロワー３９および圧縮ばね４０が挿入されている。図３（ｃ）の状態では、ストロボフォロワー３９は第１のストロボカム３０ａと係合している。
【００４５】
図４（ａ）はデジタルカメラの発光ユニット１の分解斜視図である。
【００４６】
キセノン管４０１は、リード線４０２によって、フレキシブル配線基板４０３と電気的に接続される。フレキシブル配線基板４０３は発光制御を行うストロボ基板４０４と電気的に接続されている。反射笠４０５はキセノン管４０１からの光を集光させる。キセノン管ゴム４０６はキセノン管４０１の端子部の絶縁を行うとともに、キセノン管４０１を反射笠４０５側へ付勢する。プリズムパネル４０７はキセノン管４０１と反射笠４０５からの光を所望の範囲に照射する。
【００４７】
発光ユニット１は以下のように構成される。プリズムパネル４０７と反射笠４０５で、両端にキセノン管ゴム４０６を差し込んだキセノン管４０１を挟み込み、ストロボホルダー４０８に差し込む。柔らかなキセノン管ゴム４０６がストロボホルダー４０８に圧入されながら組み込まれることでプリズムパネル４０７、反射笠４０５、両端にキセノン管ゴム４０６を差し込んだキセノン管４０１がストロボホルダー４０８に固定される。キセノン管４０１の両極にリード線４０２を半田付けした後、発光ユニット連動切換レバー３をストロボカバー２の切り欠き２ａに差し込む。発光ユニット連動切換レバー３をストロボカバー２の切り欠き２ａに差し込んだ状態で、ストロボカバー２をストロボホルダー４０８に蓋をするようにかぶせ、ビスによって固定する。これが発光ユニット１となる。
【００４８】
ストロボベース３０１と発光ユニット１のストロボカバー２とレバー３に、ストロボシャフト３０２を差し通す。これにより、発光ユニット１は、ストロボシャフト３０２によってストロボベース３０１に対して回動可能に支持される。ストロボホルダー４０８には、トグルばね４０９の一端を引っ掛ける軸４１０が圧入されている。トグルばね４０９の他端はストロボベース３０１に備える軸３０１ａに引っ掛けられる。トグルばね４０９は、ストロボシャフト３０２を回動中心に発光ユニット１を使用状態および収納状態に付勢する付勢部材として機能する。
【００４９】
発光ユニット連動切換レバー３には、穴３ａ、突起３ｂ、突起３ｃおよび操作部３ｄが形成される。発光ユニット連動切換レバー３の穴３ａをストロボシャフト３０２に嵌合させ、発光ユニット連動切換レバー３の突起３ｂをストロボホルダー４０８に形成される溝４０８ｂに係合させる。このとき、発光ユニット連動切換レバー３の操作部３ｄがストロボカバー２の切り欠き２ａから露出する。デジタルカメラの使用者は切り欠き２ａから露出した操作部３ｄを操作することができる。これによって、発光ユニット連動切換レバー３は、発光ユニット１と一体となって回転するとともに、使用者はストロボカバー２の切り欠き２ａの範囲でストロボシャフト３０２の軸方向に移動させて切り換え動作を行うことができる。
【００５０】
フレキシブル配線基板４０３、ストロボ基板４０４およびストロボコンデンサー４１２は取り付け部材４１１に取り付けられる。ストロボベース３０１もビスによって取り付け部材４１１に取り付けられる。
【００５１】
フレキシブル配線基板４０３には、レバー式検知スイッチ４０３ａが実装され、発光ユニット１が使用状態であるのか、収納位置であるのかを検知する。レバー式検知スイッチ４０３ａは取り付け部材４１１に備える穴４１１ａからレバー部分が突出するように配置される。したがって、発光ユニット１が収納状態となるときには、ストロボホルダー４０８の突起４０８ａが検知スイッチ４０３ａのレバー部分を押し込む。一方、発光ユニット１が使用状態となるときには、突起４０８ａは検知スイッチ４０３ａのレバー部分に接触しない。検知スイッチ４０３ａによって発光ユニット１が使用状態であると検知するときのみ、デジタルカメラは発光ユニット１を発光させる制御を行う。
【００５２】
図４（ｂ）および（ｃ）は発光ユニット連動切換レバー３の切り換え動作を説明する図である。
【００５３】
図４（ｂ）は発光ユニット連動切換レバー３を図中の矢印Ｇ方向に移動させた状態を図示している。このとき、発光ユニット連動切換レバー３は連動オンに切り換えられる。図４（ｃ）は発光ユニット連動切換レバー３を図中の矢印Ｈ方向に移動させた状態を図示している。このとき、発光ユニット連動切換レバー３は連動オフに切り換えられる。
【００５４】
図５はデジタルカメラの発光ユニット１を説明する図である。図５は、発光ユニット連動切換レバー３は連動オンの位置にある状態を図示している。図５では、鏡筒ベース３２、取り付け部材４１１などを省略している。上述したように、駆動環３０が回転すると、ストロボフォロワー３９が第１のストロボカム３０ａをトレースして、スライダ３７は光軸方向に移動する。そして、発光ユニット１は、ストロボベース３０１に対して回動可能に支持される。
【００５５】
発光ユニット連動切換レバー３が連動オンに切り換えられるとき、発光ユニット連動切換レバー３に形成される突起３ｃは、スライダ３７に形成されるＵ字部３７ａに位置する。一方、発光ユニット連動切換レバー３が連動オフに切り換えられるとき、発光ユニット連動切換レバー３に形成される突起３ｃは、スライダ３７に形成されるＵ字部３７ａから退避する。
【００５６】
したがって、発光ユニット連動切換レバー３が連動オンに切り換えられるとき、スライダ３７と発光ユニット１とが係合する係合状態となる。一方、発光ユニット連動切換レバー３が連動オンに切り換えられるとき、スライダ３７と発光ユニット１との係合が解除される係合解除状態となる。発光ユニット連動切換レバー３は係合状態と係合解除状態とを切り換える切換部材として機能する。
【００５７】
レンズ鏡筒ユニットＬの沈胴状態から繰り出し状態への移動および繰り出し状態から沈胴状態への移動によって、スライダ３７は光軸方向に移動する。このとき、発光ユニット連動切換レバー３が連動オンに切り換えられ、突起３ｃがスライダ３７に形成されるＵ字部３７ａに位置していると、スライダ３７が光軸方向に移動することで、Ｕ字部３７ａの壁３７ａ１または壁３７ａ２が突起３ｃを押し込む。したがって、レンズ鏡筒ユニットＬが沈胴状態から繰り出し状態に移動する動作に連動して、発光ユニット１は収納状態から使用状態に移動する。そして、レンズ鏡筒ユニットＬが繰り出し状態から沈胴状態に移動する動作に連動して、発光ユニット１は使用状態から収納状態に移動する。
【００５８】
発光ユニット連動切換レバー３が連動オフに切り換えられ、突起３ｃがＵ字部３７ａから退避していると、スライダ３７が光軸方向に移動しても、スライダ３７に形成されるＵ字部３７ａの壁３７ａ１または壁３７ａ２が突起３ｃを押し込むことはない。したがって、レンズ鏡筒ユニットＬが沈胴状態から繰り出し状態に移動しても、繰り出し状態から沈胴状態に移動しても、発光ユニット１はレンズ鏡筒ユニットＬの移動に連動しない。発光ユニット連動切換レバー３が連動オフに切り換えられるときには、発光ユニット１は手動操作によってのみ収納状態と使用状態との間を移動する。
【００５９】
以下に、鏡筒ユニットＬと発光ユニット１との連動動作を示す。
【００６０】
図６は発光ユニット連動切換レバー３が連動オンに切り換えられ、発光ユニット１が使用状態と収納状態との間で移動する動作を説明する図である。発光ユニット連動切換レバー３が連動オンに切り換えられているので、発光ユニット連動切換レバー３に形成される突起３ｃはＵ字部３７ａに位置している。
【００６１】
図６（ａ）は発光ユニット１を収納した収納状態を示している。図６（ａ）に示すように、この状態では、突起３ｃはＵ字部３７ａのいずれの壁とも当接していないが、発光ユニット１はトグルばね４０９によって、収納状態となる方向に付勢されているので、発光ユニット１は収納状態を保持できる。
【００６２】
図６（ｂ）は図６（ａ）の状態からスライダ３７が矢印Ｑ方向に移動した状態を示している。この状態で、Ｕ字部３７ａの壁３７ａ２が突起３ｃと当接し、トグルばね４０９の付勢力に抗して、発光ユニット１を使用状態へ移動させる。
【００６３】
図６（ｂ）の状態からスライダ３７がトグルばね４０９の付勢力の方向が反転する地点まで発光ユニット１を移動させると、トグルばね４０９の付勢方向が反転して、発光ユニット１は使用状態の方向に付勢される。図６（ｃ）は発光ユニット１が使用状態となった様子を示している。このとき、突起３ｃはＵ字部３７ａのいずれの壁とも当接していないが、発光ユニット１はトグルばね４０９によって、使用状態となる方向に付勢されているので、発光ユニット１は使用状態を保持できる。
【００６４】
このように、スライダ３７を光軸方向に移動させることによって、発光ユニット１は収納状態から使用状態へ移動する。発光ユニット１を使用状態から収納状態へ移動する場合には、図６（ｃ）の状態からスライダ３７を図中の左方向に移動させればよい。
【００６５】
なお、発光ユニット連動切換レバー３が連動オフに切り換えられるときには、発光ユニット連動切換レバー３に形成される突起３ｃはＵ字部３７ａから退避するので、図６（ａ）〜（ｃ）にて説明したスライダ３７と突起３ｃとの連動関係が成立しない。
【００６６】
図７は駆動環３０に形成される３つのカム形状を説明する図である。
【００６７】
図７（ａ）は、駆動環３０の正面図および側面図である。図７（ｂ）は、図７（ａ）のＢ−Ｂ断面図である。図７（ｃ）は、駆動環３０を展開し、第１のストロボカム３０ａ、第２のストロボカム３０ｂおよび第３のストロボカム３０ｃが形成される部分を拡大した図である。
【００６８】
図８は発光ユニット１の動作を説明する図である。
【００６９】
図８（ａ）は、本実施例のデジタルカメラが図１（ａ）の状態となるときの発光ユニット１の状態を示している。図８（ｂ）は、本実施例のデジタルカメラが図１（ｂ）の状態となるときの発光ユニット１の状態を示している。図８（ｃ）は、本実施例のデジタルカメラが図１（ｃ）の状態となるときの発光ユニット１の状態を示している。図８（ｄ）は、本実施例のデジタルカメラが図１（ｄ）の状態となるときの発光ユニット１の状態を示している。
【００７０】
図７（ａ）〜（ｃ）に示すように、駆動環３０には第１のカムとしての第１のストロボカム３０ａ、第２のカムとしての第２のストロボカム３０ｂおよび第３のカムとしての第３のストロボカム３０ｃが形成されている。第１のストロボカム３０ａは、レンズ鏡筒ユニットＬが沈胴状態から繰り出し状態となるときに、発光ユニット１を収納状態から使用状態にするカムである。また、第１のストロボカム３０ａは、レンズ鏡筒ユニットＬが繰り出し状態から沈胴状態となるときに、発光ユニット１を使用状態から収納状態にするカムである。したがって、発光ユニット１が図８（ａ）に示す状態と図８（ｂ）に示す状態との間で変化するとき、スライダ３７のストロボフォロワー３９は第１のストロボカム３０ａをトレースする。
【００７１】
第２のストロボカム３０ｂは、レンズ鏡筒ユニットＬが繰り出し状態で、発光ユニット１が収納状態となったときに、発光ユニット１が収納状態のまま、レンズ鏡筒ユニットＬを繰り出し状態から沈胴状態にするカムである。また、第２のストロボカム３０ｂは、レンズ鏡筒ユニットＬが沈胴状態から繰り出し状態となるときに、発光ユニット１を押さえ込んで収納状態のまま、レンズ鏡筒ユニットＬを沈胴状態から繰り出し状態にするカムである。したがって、発光ユニット１が図８（ｃ）に示す状態と図８（ａ）に示す状態との間で変化するとき、スライダ３７のストロボフォロワー３９は第２のストロボカム３０ｂをトレースする。
【００７２】
第３のストロボカム３０ｃは、レンズ鏡筒ユニットＬが沈胴状態で、発光ユニット１が使用状態となったときに、発光ユニット１が使用状態のまま、レンズ鏡筒ユニットＬを沈胴状態から繰り出し状態にするカムである。また、第３のストロボカム３０ｃは、レンズ鏡筒ユニットＬが繰り出し状態から沈胴状態となるときに、発光ユニット１を押さえ込んで使用状態のまま、レンズ鏡筒ユニットＬを繰り出し状態から沈胴状態にするカムである。したがって、発光ユニット１が図８（ｂ）に示す状態と図８（ｄ）に示す状態との間で変化するとき、スライダ３７のストロボフォロワー３９は第３のストロボカム３０ｃをトレースする。
【００７３】
図７（ｃ）において、図８（ａ）に示すレンズ鏡筒ユニットＬが沈胴状態となり、発光ユニット１が収納状態となるとき、スライダ３７のストロボフォロワー３９はポジション３０ａ１に位置する。図８（ｂ）に示すレンズ鏡筒ユニットＬが繰り出し状態としてのワイド状態となり、発光ユニット１が使用状態となるとき、スライダ３７のストロボフォロワー３９はポジション３０ａ２に位置する。レンズ鏡筒ユニットＬが繰り出し状態としてのテレ状態となり、発光ユニット１が使用状態となるとき、スライダ３７のストロボフォロワー３９はポジション３０ａ３に位置する。第１のストロボカム３０ａは、ポジション３０ａ１とポジション３０ａ２との間で発光ユニット１を収納状態と使用状態との間で移動させ、ポジション３０ａ２とポジション３０ａ３との間ではカムリフトがほぼ０となるように設定される。
【００７４】
図８（ｂ）に示すように、スライダ３７のストロボフォロワー３９がポジション３０ａ２に位置するときに、発光ユニット１を手動操作によって収納状態とすると、図８（ｃ）に示す状態になる。このとき、ストロボフォロワー３９は第１のストロボカム３０ａとの係合を解除して、ポジション３０ｂ２にて第２のストロボカム３０ｂと係合する。同様に、ストロボフォロワー３９がポジション３０ａ３に位置するときに、発光ユニット１を手動操作によって収納状態とすると、ストロボフォロワー３９は第１のストロボカム３０ａとの係合を解除する。そして、ストロボフォロワー３９はポジション３０ｂ３にて第２のストロボカム３０ｂと係合する。
【００７５】
図９は発光ユニット１が手動操作される際の動作を説明する図である。図９（ａ）は、スライダ３７のストロボフォロワー３９がポジション３０ａ２に位置する状態を示している。この状態で発光ユニット１を手動操作によって収納されると、図９（ｂ）に示すように、スライダ３７に矢印Ｆ１方向の力が作用し、ストロボフォロワー３９が圧縮ばね４０の付勢力に抗して、矢印Ｐ方向に移動する。すなわち、ストロボフォロワー３９はスライダ３７の内部に退避する。
【００７６】
これによって、ストロボフォロワー３９は第１のストロボカム３０ａとの係合を解除して、スライダ３７は矢印Ｆ１方向に移動する。そして、図９（ｃ）に示す状態となるときに、ストロボフォロワー３９が圧縮ばね４０の付勢力によって、第２のストロボカム３０ｂに挿入される。このとき、ストロボフォロワー３９が第２のストロボカム３０ｂに挿入される際に、ストロボフォロワー３９の先端が第２のストロボカム３０ｂの斜面をすべることとなるので、矢印Ｆ１方向の力がスライダ３７に作用する。そして、図９（ｄ）に示すように、第２のストロボカム３０ｂと係合する。このように、ストロボフォロワー３９は、駆動環３０の外周面に対して略垂直となるスライダ３７の穴部に進退するので、ストレスなくカムとの係合と係合の解除を行うことができる。
【００７７】
ストロボフォロワー３９が第２のストロボカム３０ｂと係合するときに、レンズ鏡筒ユニットＬが繰り出し状態から沈胴状態となると、ストロボフォロワー３９は図７（ｃ）に示す第２のストロボカム３０ｂの右端までトレースする。そして、ストロボフォロワー３９は第２のストロボカム３０ｂとの係合を解除して、図７（ｃ）の矢印Ｂ１方向に進み、第１のストロボカム３０ａと係合して、ポジション３０ａ１に位置する。
【００７８】
ストロボフォロワー３９がポジション３０ａ１に位置するとき、発光ユニット１を押さえ込んで収納状態のまま、レンズ鏡筒ユニットＬを沈胴状態からワイド状態にする。このとき、ストロボフォロワー３９は第１のストロボカム３０ａとの係合を解除して、図７（ｃ）の矢印Ｂ２方向に進む。そして、ストロボフォロワー３９は第２のストロボカム３０ｂと係合して、ポジション３０ｂ２に位置する。
【００７９】
図８（ａ）に示すように、ストロボフォロワー３９がポジション３０ａ１に位置するとき、発光ユニット１を手動操作によって使用状態とすると、図８（ｄ）に示す状態になる。このとき、ストロボフォロワー３９は第１のストロボカム３０ａとの係合を解除して、ポジション３０ｃ１にて第３のストロボカム３０ｃと係合する。ストロボフォロワー３９がポジション３０ｃ１に位置するとき、レンズ鏡筒ユニットＬを沈胴状態からワイド状態にすると、ストロボフォロワー３９は第３のストロボカム３０ｃとの係合を解除して、矢印Ｃ１方向に進む。そして、ストロボフォロワー３９は第１のストロボカム３０ａと係合して、ポジション３０ａ２に位置する。
【００８０】
ストロボフォロワー３９がポジション３０ａ２に位置するとき、発光ユニット１を押さえ込んで使用状態のまま、レンズ鏡筒ユニットＬをワイド状態から沈胴状態にする。このとき、ストロボフォロワー３９は第１のストロボカム３０ａとの係合を解除して、図７（ｃ）の矢印Ｃ２方向に進む。そして、ストロボフォロワー３９は第３のストロボカム３０ｃと係合して、ポジション３０ｃ１に位置する。
【００８１】
本実施例では、第１のストロボカム３０ａと第２のストロボカム３０ｂとの間、第１のストロボカム３０ａと第３のストロボカム３０ｃとの間はそれぞれ連結されていない。例えば、第１のストロボカム３０ａと第２のストロボカム３０ｂとの間を連結すると、ストロボフォロワー３９がポジション３０ａ１に位置する状態からポジション３０ａ２に位置する状態にする際に、ポジション３０ｂ２に位置する状態となってしまう。すなわち、第１のストロボカム３０ａをトレースせず、第２のストロボカム３０ｂをトレースしてしまう。このようなことから、本実施例では、第１のストロボカム３０ａと第２のストロボカム３０ｂとの間、第１のストロボカム３０ａと第３のストロボカム３０ｃとの間を分離している。
【００８２】
図１０は、本実施例のデジタルカメラの背面斜図である。本実施例のデジタルカメラの背面はリアカバー１００１で覆われており、リアカバー１００１の発光ユニット１に隣接する領域には、突起１００１ａが形成されている。図１０（ａ）は、レンズ鏡筒ユニットＬが沈胴状態となり、発光ユニット１が収納状態にあって、発光ユニット連動切換レバー３が連動オンとなる状態を図示している。図１０（ａ）の状態では、発光ユニット連動切換レバー３の操作部３ｄがストロボカバー２の切り欠き２ａから露出する。したがって、発光ユニット連動切換レバー３の操作部３ｄは使用者が操作可能な状態となり、使用者が操作部３ｄを矢印Ｈ方向に移動することで、連動オンから連動オフへ切り換えることができる。
【００８３】
図１０（ｂ）は、図１０（ａ）に図示する状態から発光ユニット１を使用状態に移動した状態を示している。発光ユニット１を使用状態に移動すると、図１０（ｂ）に図示する状態ように、リアカバー１００１の突起１００１ａが発光ユニット連動切換レバー３の操作部３ｄおよびストロボカバー２の切り欠き２ａを覆う。したがって、発光ユニット連動切換レバー３の操作部３ｄは使用者が操作不能な状態となり、使用者は発光ユニット連動切換レバー３の切り換え動作を行うことができない。
【００８４】
本実施例のデジタルカメラでは、レンズ鏡筒ユニットＬの沈胴状態から繰り出し状態へ移動に連動して、スライダ３７は図６に図示する矢印Ｑ方向に移動する。レンズ鏡筒ユニットＬが繰り出し状態となるときに、発光ユニット連動切換レバー３が連動オフから連動オンに切り換えられると、発光ユニット連動切換レバー３に形成される突起３ｃはスライダ３７のＵ字部３７ａに入り込むことができない。スライダ３７には壁部３７ｂが形成されている。レンズ鏡筒ユニットＬが繰り出し状態となるときに、発光ユニット連動切換レバー３が連動オフから連動オンに切り換えられると、発光ユニット連動切換レバー３に形成される突起３ｃがスライダ３７に形成される壁部３７ｂに当接する。これによって、レンズ鏡筒ユニットＬが繰り出し状態となるときには、発光ユニット連動切換レバー３の連動オフから連動オンへの切り換え動作を実行できないようになっている。
【００８５】
したがって、発光ユニット連動切換レバー３の切り換え動作は、レンズ鏡筒ユニットＬが沈胴状態であって、発光ユニット１が収納状態となるときにしか実行できないようになっている。
【００８６】
本実施例によれば、レンズ鏡筒ユニットに連動させて、発光ユニット１を使用状態と収納状態との間で移動させる状態と、レンズ鏡筒ユニットに連動することなく、手動操作によってのみ発光ユニットを使用状態と収納状態との間で移動させる状態とを切り換えることができる。
【符号の説明】
【００８７】
１  発光ユニット
３  レバー
３ｄ  突起
３０  駆動環
３７  スライダ
３７ｂ  壁部
３９  ストロボフォロワー
４４  駆動源
１００１  カバー部材
１００１ａ  突起
【図１】
2013015668.tif 000003
【図２】
2013015668.tif 000004
【図３】
2013015668.tif 000005
【図４】
2013015668.tif 000006
【図５】
2013015668.tif 000007
【図６】
2013015668.tif 000008
【図７】
2013015668.tif 000009
【図８】
2013015668.tif 000010
【図９】
2013015668.tif 000011
【図１０】
2013015668.tif 000012